(57)【要約】【課題】収納する文房具等が数や種類が多くなっても、設置スペースを広げることなく、文房具等を種類ごとに整理して収納することができるような収納ボックスを提供すること。【解決手段】縦横の少なくとも１方向に複数の収納ユニット１０を連結して構成される収納ボックスにおいて、各収納ユニット１０は、手前側の面１２のみ開口された筒体に形成され、かつ、内部に形成される空洞１１の底面１８が開口面１２に対して傾斜して形成されている。【選択図】図１
2006056567.tif 000002
【特許請求の範囲】
【請求項１】
縦横の少なくとも１方向に複数の収納部を連結して構成される収納ボックスにおいて、
前記各収納部は、手前側の面のみ開口された筒体に形成され、かつ、内部に形成される空間の底面が前記開口の沿う面に対して傾斜して形成されていることを特徴とする収納ボックス。
【請求項２】
当該収納ボックスの最下段に配置される各収納部の下部には、前記開口が鉛直方向に沿うように収納部を保持するための据え置き用部材が取り付けられていることを特徴とする請求項１に記載の収納ボックス。
【請求項３】
当該収納ボックスの一方の側部には、前記開口が鉛直方向に沿うように収納部を支持するための吊り下げ用部材が取り付けられていることを特徴とする請求項１に記載の収納ボックス。
【請求項４】
前記各収納部の内部の空間の上面と底面とには、該空間を縦に区切る縦仕切り板を取り付けるための溝が形成されていることを特徴とする請求項１〜請求項３のいずれかに記載の収納ボックス。
【請求項５】
前記各収納部の内部の空間の両側面には、該空間を横に区切る横仕切り板を取り付けるための溝が形成されていることを特徴とする請求項１〜請求項４のいずれかに記載の収納ボックス。
【発明の詳細な説明】
【技術分野】
【０００１】
本発明は、複数の収納部を連結して構成される収納ボックスに関する。
【背景技術】
【０００２】
鉛筆やシャープペンシル、ボールペン等の筆記具や、物差し、はさみのような文房具を収納する収納ボックスとして、ペン立てが知られている。ペン立ては、上面が開口された筒状の収納部を有しており、この収納部に筆記具等を立てた状態で収納する。このため、ペン立てには、筆記具等を数多く収納することができる。
【０００３】
ペン立ての中には、収納部が仕切りで区切られ、複数の収納区画を有するものが知られている（例えば、特許文献１参照）。このように、複数の収納区画を設けることで、文房具を種類ごと等に分類し、整理して収納することができる。
【特許文献１】実開平７−４０１８９号公報
【発明の開示】
【発明が解決しようとする課題】
【０００４】
しかしながら、従来のペン立てのような収納ボックスにおいては、次のような問題点があった。
【０００５】
上述のように、ペン立てには、筆記具等を数多く収納したり、文房具を種類ごとに整理して収納したりできるものの、文房具の数が多くなるほど、ペン立てを大きくしなければならず、ペン立てを設置するスペースを広くする必要があった。
【０００６】
また、立てた状態で収納されている文房具をペン立てから取り出すには、文房具を上方に引き上げるような動作を必要とするため、単に肘を中心とした腕の回動動作だけでは、文房具を取り出すことができない場合があった。つまり、肘を上げる動作をともない、机等の上に肘をついたままでは、文房具を取り出すことができない場合があった。
【０００７】
さらに、ペン立てには、立てた状態で文房具を収納するため、短くなった鉛筆や、消しゴム、ステープラー、クリップ等のようなペン立ての高さよりも短い文房具の収納には、不向きであり、収納すると、その取り出しが非常に面倒になっていた。このため、ペン立ての高さよりも短い文房具を収納するには、小物入れのような収納ボックスが用いられるが、ペン立てと異なる形状の収納ボックスを別途用意しなければならず、設置のためのスペースも必要になっていた。また、ペン立ての高さよりも短くて小さい文房具を収納する小物入れには、引き出し式や蓋開閉式のものが多く、その取り出しには手間がかかっていた。
【０００８】
一方、収納ボックスを、文房具に限らず、箸やスプーン、フォーク等の食器類、化粧品、工具等の物品の収納に広く利用できれば便利である。
【課題を解決するための手段】
【０００９】
本発明は、上述の課題を解決するための手段を以下のように構成している。すなわち、縦横の少なくとも１方向に複数の収納部を連結して構成される収納ボックスにおいて、前記各収納部は、手前側の面のみ開口された筒体に形成され、かつ、内部に形成される空間の底面が前記開口の沿う面に対して手前側から奥側に向かって下方に傾斜して形成されていることを特徴とする。
【００１０】
このような構成の収納ボックスによれば、各収納部の内部に形成される空間が、鉛筆やシャープペンシル、ボールペン等の筆記具、消しゴムや物差し、はさみ等のような文房具を収納可能な収納区画となる。この収納区画には、文房具に限らず、箸やスプーン、フォーク等の食器類、化粧品、工具等の物品を収納することができる。
【００１１】
収納部を縦横に連結することで、連結した収納部の数の収納区画が形成され、収納する文房具等が数や種類が多くなっても、文房具等を種類ごとに整理して収納することができる。また、収納部を上下に連結することで、収納ボックスの設置スペースを広げることなく、文房具等を収納することができる。このように、縦横に連結する収納部の数および配置を、収納する文房具等に合わせて、自由に選択することができる。
【００１２】
また、開口面が略鉛直方向に沿うように各収納部を配置することで、各収納部の底面が手前側から奥側に向かって下方に傾斜する形態となるので、収納した文房具等が手前側に滑り落ちにくくなる。文房具等を収納ボックスから取り出すには、単に肘を中心とした腕の回動動作だけでよく、机等の上に肘をついたままで、文房具等を容易に取り出すことができる。
【００１３】
さらに、収納ボックスには、短くなった鉛筆や、消しゴム、ステープラー、クリップ等のような文房具等を収納することができ、その取り出しも容易である。したがって、そのような文房具等を収納する小物入れ等を別途用意する必要がなくなり、設置スペースも必要なくなる。
【００１４】
本発明の収納ボックスは、最下段に配置される各収納部の下部に、前記開口が鉛直方向に沿うように収納部を保持するための据え置き用部材を取り付けて机等の平らな場所に設置してもよく、収納ボックスの一方の側部に、前記開口が鉛直方向に沿うように収納部を支持するための吊り下げ用部材を取り付けて吊り下げた状態で設置してもよい。吊り下げ用部材を用いて収納ボックスをモニター等の側部に取り付けることで、机等のスペースを占領せずに収納ボックスを設置することができ、机等のスペースを有効に使うことができる。
【００１５】
また、本発明の収納ボックスにおいて、前記各収納部の内部の空間の上面と底面とには、該空間を縦に区切る縦仕切り板を取り付けるための溝が形成されていることを特徴とする。
【００１６】
また、本発明の収納ボックスにおいて、前記各収納部の内部の空間の両側面には、該空間を横に区切る横仕切り板を取り付けるための溝が形成されていることを特徴とする。
【００１７】
このような構成の収納ボックスによれば、縦仕切り板を溝に取り付けることで、各収納部には、左右２つの収納区画が形成される。また、横仕切り板を溝に取り付けることで、各収納部には、上下２つの収納区画が形成される。これにより、収納ボックスの収納区画を、収納する文房具等に合わせて、容易に増減させたり、収納区画の形状、大きさを容易に変更したりすることができ、収納する文房具等が数や種類が多くなっても、収納ボックスの設置スペースを広げることなく、文房具等を種類ごとに整理して収納することができる。
【発明の効果】
【００１８】
本発明は、上述のような構成であるから、収納する文房具等が数や種類が多くなっても、設置スペースを広げることなく、文房具等を種類ごとに整理して収納することができる。しかも、収納した文房具等が手前側に滑り落ちにくくなり、文房具等の取り出しも容易に行うことができる。また、収納ボックスには、短くなった鉛筆や、消しゴム、ステープラー、クリップ等のような文房具等を収納することができ、その取り出しも容易である。さらに、収納ボックスには、文房具に限らず、箸やスプーン、フォーク等の食器類、化粧品、工具等の物品を収納することができる。
【発明を実施するための最良の形態】
【００１９】
以下、添付図面を参照しながら、本発明の実施の形態について説明し、本発明の理解に供する。なお、以下の実施の形態は、本発明を具体化した一例であって、本発明の技術的範囲を限定する性格のものではない。
【００２０】
本発明の収納ボックスは、複数の収納ユニット（収納部）が上下方向（縦方向）、左右方向（横方向）に連結されて構成されている。各収納ユニットには、鉛筆やシャープペンシル、ボールペン等の筆記具や、消しゴムや物差し、はさみのような文房具等が収納される。上下左右に連結される収納ユニットの数や配置は、収納する文房具等の物品に合わせて、適宜選択することが可能である。以下では、図１、図２を参照して、上下に２段、左右に２列の計４つの収納ユニット１０が配置されている収納ボックス１について説明する。
【００２１】
図１、図２に示すように、収納ボックス１は、４つの収納ユニット１０を上下・左右にそれぞれ２つずつ組み合わせたもので、下段の収納ユニット１０の下部に据え置き用部材３０が取り付けられて、机の上のような平らな場所に配置されている。
【００２２】
まず、収納ユニット１０について説明する。図３は、収納ユニット１０を示す図であって、下面１６が水平となるように配置した状態の図であり、（ａ）は右側面図、（ｂ）は平面図、（ｃ）は底面図、（ｄ）は正面図、（ｅ）は（ａ）におけるＡ−Ａ断面図、（ｆ）は（ｄ）におけるＢ−Ｂ断面図である。
【００２３】
収納ユニット１０は、その外形が略平行六面体に形成されており、その内部に手前側が開口されている空洞１１を有している樹脂製の部材である。つまり、収納ユニット１０は、手前側の面のみ開口された筒体に形成されている。そして、左側面１３と右側面１４とが互いに平行に形成され、上面１５と下面１６とが互いに平行に形成されている。また、手前側の開口面１２と奥側の面とが互いに平行に形成されている。なお、手前側の開口面１２と奥側の面とは、必ずしも互いに平行に形成されていなくてもよい。
【００２４】
収納ユニット１０の内部の空間（空洞）１１は、略平行六面体に形成されており、つまり、正面断面（図３（ｅ）のＡ−Ａ断面）で矩形に形成されており、側面断面（図３（ｆ）のＢ−Ｂ断面）で平行四辺形に形成されている。空洞１１は、後述するように、文房具等を収納する収納区画となる。空洞１１の底面１８は、開口面１２に対して傾斜しており、開口面１２を略鉛直方向に沿って配置した状態で、底面１８が手前側から奥側に向かって下方に所定角度だけ傾斜するようになっている。つまり、底面１８と開口面１２とのなす角αが、直角ではなく、直角に底面１８の傾斜角度を加算した角度となっている。底面１８の傾斜角度は、図３に示す例では、１５°となっている。
【００２５】
収納ユニット１０の左右両側面１３、１４には、それぞれ前後方向の中央部に細長い矩形の連結穴２１、２２が形成されている。連結穴２１、２２は、両側面１３、１４の略一致する位置に形成され、開口面１２が略鉛直方向に沿うように収納ユニット１０を設置したときに、水平に配置されるように形成されている。連結穴２１、２２は、左右に隣り合う他の収納ユニット１０と連結する際に利用され、このとき、連結穴２１、２２に、図５に示すような連結具４０が挿入される。連結具４０は、正面視で略「Ｌ」字状の樹脂製の部材であって、前後方向の長さが連結穴２１、２２の前後方向の長さと略等しく形成されている。また、連結具４０の「Ｌ」字状の左右部分の先端部が上方に折り曲げられて、屈曲部４１が形成されている。連結具４０の左右方向の幅Ｗ１は、収納ユニット１０の側面１３の厚さの略２倍となっている。
【００２６】
収納ユニット１０の上面１５の左右両端には、それぞれ上部連結部２３が形成されている。上部連結部２３は、上に隣り合う他の収納ユニット１０と連結する際に利用され、上面１５の左右両端縁の２箇所に所定長さにわたって設けられている。上部連結部２３の後端には、係止部２４が設けられている。上部連結部２３は、上面１５の左右各両端縁から上方に垂直に延びる垂直部２３ａと、各垂直部２３ａの上部より互いに内側へ突出する突出部２３ｂとで形成されている。そして、垂直部２３ａと突出部２３ｂとにより、上に隣り合う他の収納ユニット１０の後述する下部連結部２５の突出部２５ｂが挿入可能な空間２３ｃが形成されている。
【００２７】
収納ユニット１０の下面１６には、上記上部連結部２３に対応する下部連結部２５が形成されている。すなわち、下部連結部２５は、下に隣り合う他の収納ユニット１０と連結する際に利用され、下面１６の２箇所に上記上部連結部２３と略同じ長さにわたって、下面１６の左右対称に形成されている。下部連結部２５は、下面１６から下方に垂直に延びる垂直部２５ａと、各垂直部２５ａの下部より互いに外側へ突出する突出部２５ｂとで形成されている。そして、垂直部２５ａと突出部２５ｂとにより、上に隣り合う他の収納ユニット１０の上部連結部２３の突出部２３ｂが挿入可能な空間２５ｃが形成されている。
【００２８】
収納ユニット１０の空洞１１の内面には、手前側から奥側にかけて溝２６、２７が形成されている。溝２６、２７は、空洞１１の内面を窪ませて形成してもよく、空洞１１の内面に突起を設けることで形成してもよい。
【００２９】
溝２６は、空洞１１の上面１７の左右略中央と、底面１８の左右略中央とにそれぞれ形成されている。溝２６には、図７に示すような縦仕切り板６０が、空洞１１の側面１９と平行に取り付けられる。縦仕切り板６０は、側面視で略平行四辺形の樹脂製の板状部材であって、空洞１１の側面形状と略等しく形成されている。縦仕切り板６０の厚さは、溝２６の間隔と略等しくなっている。なお、溝２６は、縦仕切り板６０を空洞１１の側面１９と平行に取り付けられるような位置に形成されていれば、つまり、上面１７と底面１８との左右位置を一致させて形成されていれば、その位置は特に限定されず、また、その数も限定されない。溝２６を、上面１７と底面１８とにそれぞれ２箇所以上形成すると、縦仕切り板６０の取付位置を変更したり、２枚以上の縦仕切り板６０を取り付けたりすることが可能となる。
【００３０】
溝２７は、空洞１１の両側面１９、２０の上下略中央にそれぞれ形成されている。溝２７には、図８に示すような横仕切り板７０が、空洞１１の底面１８と平行に取り付けられる。横仕切り板７０は、平面視で略矩形の樹脂製の板状部材であって、空洞１１の底面形状と略等しく形成されている。横仕切り板７０の厚さは、溝２７の間隔と略等しくなっている。なお、溝２７は、横仕切り板７０を空洞１１の底面１８と平行に取り付けられるような位置に形成されていれば、つまり、両側面１９、２０の上下位置を一致させて形成されていれば、その位置は特に限定されず、また、その数も限定されない。溝２７を、両側面１９、２０にそれぞれ２箇所以上形成すると、横仕切り板７０の取付位置を変更したり、２枚以上の横仕切り板７０を取り付けたりすることが可能となる。
【００３１】
続いて、据え置き用部材３０について説明する。図４は、据え置き用部材３０を示す図であって、上面３１が水平となるように配置した状態の図であり、（ａ）は右側面図、（ｂ）は平面図、（ｃ）は底面図、（ｄ）は正面図、（ｅ）は（ａ）におけるＣ−Ｃ断面図である。
【００３２】
据え置き用部材３０は、収納ユニット１０の開口面１２が略鉛直方向に沿うように収納ユニット１０を保持するための部材であって、収納ボックス１を、例えば、机の上のような平らな場所に備え付けるために用いられる。つまり、側面視で略平行四辺形に形成されている収納ユニット１０を、その開口面１２が略鉛直方向に沿うように配置するために用いられる。このため、据え置き用部材３０は、その上面３１と机の面とのなす角βが、収納ユニット１０の下面１６（空洞１１の底面１８）の傾斜角度と等しくなるように形成されている。
【００３３】
据え置き用部材３０は、側面視で略台形に形成されている樹脂製の部材である。据え置き用部材３０の上面３１には、据え置き用部材３０を収納ユニット１０に取り付けるために、上述した収納ユニット１０の上面１５の上部連結部２３と同様の上部連結部３３が形成されている。具体的には、上部連結部３３は、上面３１の左右両端縁の２箇所に、収納ユニット１０の上部連結部２３と略同じ長さにわたって設けられている。上部連結部３３の後端には、係止部３４が設けられている。上部連結部３３は、上面３１の左右各両端縁から上方に垂直に延びる垂直部３３ａと、各垂直部３３ａの上部より互いに内側へ突出する突出部３３ｂとで形成されている。そして、垂直部３３ａと突出部３３ｂとにより、上に隣り合う収納ユニット１０の下部連結部２５の突出部２５ｂが挿入可能な空間３３ｃが形成されている。
【００３４】
また、据え置き用部材３０の右側面３６の下端部から上方に向けて、右に隣り合う他の据え置き用部材３０を連結するための連結部３７が形成されている。連結部３７は、右側面３６と平行に取り付けられており、連結部３７と右側面３６との間隔は、左側面３５の幅と略等しくなっており、連結部３７と右側面３６との間に、右に隣り合う他の据え置き用部材３０の左側面３５が挿入される。
【００３５】
次に、収納ユニット１０同士の連結について説明する。
【００３６】
収納ユニット１０同士を左右に連結するには、収納ユニット１０の連結穴２１、２２と、連結具４０とが利用される。連結具４０を、左方に配置される収納ユニット１０の右側面１４の連結穴２２に挿入した状態で、左方に配置される収納ユニット１０の空洞１１の右側面２０に固定する。この固定には、粘着テープ、接着剤等が用いられる。そして、連結具４０の屈曲部４１を、右方に配置される収納ユニット１０の左側面１３に引っ掛けるように、該左側面１３の連結穴２１に連結具４０を挿入して、収納ユニット１０同士を左右に連結する。このとき、屈曲部４１が左側面１３に引っ掛かった状態で、収納ユニット１０同士が連結されているので、両者が容易にずれることを防止できる。そして、収納ユニット１０同士の左右の連結を容易に行うことができる。
【００３７】
収納ユニット１０同士を上下に連結するには、収納ユニット１０の上部連結部２３と、下部連結部２５とが利用される。一方の収納ユニット１０を、他方の収納ユニット１０に対して前後方向にスライドさせて、下方に配置される収納ユニット１０の上部連結部２３の空間２３ｃに、上方に配置される収納ユニット１０の下部連結部２５の突出部２５ｂを挿入させるとともに、上方に配置される収納ユニット１０の下部連結部２５の空間２５ｃに、下方に配置される収納ユニット１０の上部連結部２３の突出部２３ｂを挿入させて、収納ユニット１０同士を上下に連結する。このように、下方に配置される収納ユニット１０の上部連結部２３と、上方に配置される収納ユニット１０の下部連結部２５とを相互に嵌め合わせることで、上下の収納ユニット１０を容易に連結することができる。
【００３８】
なお、収納ユニット１０同士の左右および上下の連結の仕方は、上述した場合に限定されない。例えば、収納ユニット１０同士の左右の連結を、上述の上下に連結する場合のように、両者に連結部を設けて、互いに嵌め合わせるように連結してもよい。収納ユニット１０同士の上下の連結を、上述の左右に連結する場合のように、両者に開口部を設け、連結具を用いて連結してもよい。
【００３９】
図１、図２に示す収納ボックス１では、４つの収納ユニット１０が上下に２段、左右に２列、配置されている。この場合、例えば、上段に配置される２つの収納ユニット１０を左右に連結し、次に、上段のそれぞれの収納ユニット１０に、下段に配置される収納ユニット１０を連結する。そして、下段のそれぞれの収納ユニット１０に、据え置き用部材３０を連結している。なお、収納ユニット１０の連結の順序は、上記の順序に限定されない。また、下段に配置される２つの収納ユニット１０を連結具４０により左右に連結してもよい。
【００４０】
収納ユニット１０同士の連結をしっかりと行うために、図６に示すようなずれ防止用部材５０を用いることができる。ずれ防止用部材５０は、右列に配置される上下２つの収納ユニット１０の右側面１４の連結穴２２間を連結するための樹脂製の部材であって、前後方向の長さが連結穴２２の前後方向の長さと略等しく形成されている。ずれ防止用部材５０の上部には、正面視略「Ｌ」字状の上部挿入部５１が形成されており、下部には、上部挿入部５１と同形状の下部挿入部５２が形成されている。
【００４１】
ずれ防止用部材５０は、収納ユニット１０を連結した後、次のようにして取り付けられる。右列上段の収納ユニット１０の右側面１４の連結穴２２にずれ防止用部材５０の上部挿入部５１を挿入するとともに、右列下段の収納ユニット１０の右側面１４の連結穴２２にずれ防止用部材５０の下部挿入部５２を挿入して、右列に配置される上下２つの収納ユニット１０の連結穴２２に引っ掛けるようにしてずれ防止用部材５０を取り付ける。このとき、ずれ防止用部材５０を、右列の収納ユニット１０の右側面１４に粘着テープ、接着剤等で固定するようにしてもよい。このように、ずれ防止用部材５０を用いて上下の収納ユニット１０同士を連結して、上面１５および下面１６の傾斜によるずれを防止するようにしている。なお、ずれ防止用部材５０により、左列に配置される上下２つの収納ユニット１０の左側面１３の連結穴２１間を連結するようにしてもよい。
【００４２】
次に、収納ユニット１０と据え置き用部材３０との連結、および据え置き用部材３０同士の連結について説明する。
【００４３】
収納ユニット１０と据え置き用部材３０との連結は、上述した収納ユニット１０同士を上下に連結する場合と略同様にして行うことができる。すなわち、据え置き用部材３０を、収納ユニット１０に対して前後方向にスライドさせて、収納ユニット１０の下部連結部２５の空間２５ｃに、据え置き用部材３０の上部連結部３３の突出部３３ｂを挿入させるとともに、据え置き用部材３０の上部連結部３３の空間３３ｃに、収納ユニット１０の下部連結部２５の突出部２５ｂを挿入させて、両者を連結する。
【００４４】
据え置き用部材３０同士を左右に連結するには、連結部３７が利用される。一方の据え置き用部材３０を、他方の据え置き用部材３０に対して前後方向または上下方向にスライドさせて、左方に配置される据え置き用部材３０の連結部３７と右側面３６との間に、右方に配置される据え置き用部材３０の左側面３５を挿入させて、据え置き用部材３０同士を左右に連結する。
【００４５】
図１、図２に示す収納ボックス１では、４つの収納ユニット１０を上下に２段、左右に２列に連結した後に、下段の２つの収納ユニット１０にそれぞれ据え置き用部材３０を取り付ける。この場合、据え置き用部材３０同士を左右に連結した後、２つの据え置き用部材３０を同時に下段の２つの収納ユニット１０に連結してもよい。また、一方の据え置き用部材３０を下段の収納ユニット１０の１つに連結した後、他方の据え置き用部材３０を、一方の据え置き用部材３０と下段の残りの収納ユニット１０とに連結してもよい。
【００４６】
以上のように、収納ユニット１０同士を上下および左右に連結し、収納ユニット１０の下部に据え置き用部材３０を取り付け、据え置き用部材３０同士を左右に連結すると、収納ボックス１が完成する。収納ボックス１は、例えば、机の上のような平らな場所に備え付けられる。
【００４７】
机の上に設置された収納ボックス１には、鉛筆やシャープペンシル、ボールペン等の筆記具や、消しゴムや物差し、はさみのような文房具等が収納される。文房具等は、収納ボックス１の各収納ユニット１０の空洞１１に収納される。鉛筆やシャープペンシル、ボールペン等の筆記具は、空洞１１の底面１８に寝かせた状態で収納される。収納ボックス１には、文房具に限らず、箸やスプーン、フォーク等の食器類、化粧品、工具等の物品を収納することができる。収納ボックス１には、連結された収納ユニット１０の数の収納区画が形成されており、文房具等の物品を種類ごとに分類し、整理して収納することができる。
【００４８】
収納ボックス１では、各収納ユニット１０の開口面１２は、全て手前側に向いており、また、同一平面内（鉛直面内）にある。これにより、文房具等の出し入れを容易に行うことができる。しかも、各収納ユニット１０の空洞１１の底面１８が、全て手前側から奥側に向かって下方に傾斜する形態となるので、収納した文房具等が手前側に滑り落ちにくくなる。文房具等を収納ボックス１から取り出すには、文房具等を上方に引き上げるような動作を必要とせず、単に肘を中心とした腕の回動動作だけでよい。つまり、肘を上げる動作をともなわず、机等の上に肘をついたままで、文房具等を容易に取り出すことができる。
【００４９】
また、収納ボックス１には、短くなった鉛筆や、消しゴム、ステープラー、クリップ等のような文房具等を収納することができ、その取り出しも容易である。したがって、そのような文房具等を収納する小物入れ等を別途用意する必要がなくなり、設置スペースも必要なくなる。
【００５０】
そして、収納ボックス１では、縦仕切り板６０または横仕切り板７０が、空洞１１の内面の溝２６または溝２７に取り付けられており、空洞１１が左右または上下に仕切られている。縦仕切り板６０を取り付けることで、空洞１１には、左右２つの収納区画が形成される。横仕切り板７０を取り付けることで、空洞１１には、上下２つの収納区画が形成される。両仕切り板６０、７０は、前後方向にスライドさせることで、収納ユニット１０への取り付け、取り外しを容易に行うことができ、空洞１１に両仕切り板６０、７０を取り付けないようにすることも可能である。例えば、薄いものを収納する場合には、縦仕切り板６０を取り付け、丸いものを収納する場合には、横仕切り板７０を取り付け、大きなものを収納する場合には、両仕切り板６０、７０を取り付けないようにすればよい。このように、収納ボックス１の収納区画を、収納する文房具等に合わせて、容易に増減させたり、収納区画の形状、大きさを容易に変更したりすることができる。これにより、収納する文房具等が数や種類が多くなっても、収納ボックス１の設置スペースを広げることなく、文房具等を種類ごとに整理して収納することができる。
【００５１】
さらに、収納ボックス１には次のような利点もある。収納ユニット１０を上下に連結しているため、収納ボックス１の設置に必要なスペースを小さく抑えることができる。右側に配置される据え置き用部材３０の連結部３７は、据え置き用部材３０との連結には用いられないため、書類等を立てるためのペーパーホルダーとして利用することができる。上段に配置される各収納ユニット１０の上面１５には、上部連結部２３が形成されているため、上面１５を消しゴムやクリップ等の小物を置くスペースとして利用することができる。また、必要に応じて収納ボックス１の上面や側面等にマグネットシートを取り付けることによって、クリップ等を磁力で固定することができる。
【００５２】
以上では、収納ボックスとして、図１、図２に示すような、４つの収納ユニット１０を上下・左右にそれぞれ２つずつ組み合わせた収納ボックス１を例に説明したが、様々な変形例が考えられる。以下では、その変形例について説明する。
【００５３】
上下、左右に連結される収納ユニット１０の数および配置は、収納する文房具等に合わせて、自由に選択することができる。一例を挙げれば、図９に示すように、収納ユニット１０が、上下に３段、左右に２列、配置されている収納ボックス１００としたり、図１０に示すように、収納ユニット１０が、上下に１段、左右に４列に配置されている収納ボックス２００としたりすることができ、様々なバリエーションが考えられる。収納ユニット１０を上下に連結することで、収納する文房具等が数や種類が多くなっても、収納ボックスの設置スペースを広げることなく、文房具等を種類ごとに整理して収納することができる。そして、机等のスペースを有効に使うことができる。
【００５４】
また、図１１に示すような吊り下げ用部材８０を用いることで、図１２に示すように、収納ボックス３００をモニター８５等に取り付けることができる。この場合、収納ユニット１０の下部に取り付けられる据え置き用部材３０は不要となる。
【００５５】
図１１は、吊り下げ用部材８０を示す図であり、（ａ）は正面図、（ｂ）は側面図である。吊り下げ用部材８０は、収納ユニット１０の開口面１２が略鉛直方向に沿うように収納ユニット１０を支持するための正面視で略逆「Ｌ」字状の樹脂製の部材である。吊り下げ用部材８０の側面８１には、上述した連結具４０を挿入可能な複数（図１１では２つ）の連結穴８３が形成されている。
【００５６】
吊り下げ用部材８０を用いて、収納ボックス３００をモニター８５等に取り付ける際には、まず。連結具４０を、側面８１の連結穴８３の１つに挿入し、粘着テープ、接着剤等で側面８１に固定する。次に、連結具４０の屈曲部４１を、収納ボックス３００の最上段で最左列に配置される収納ユニット１０の左側面１３の連結穴２１に挿入して、吊り下げ用部材８０と収納ボックス３００とを連結する。そして、収納ボックス３００が連結された吊り下げ用部材８０の上面８２を、机等の上に配置されているモニター８５の上面に載せ、吊り下げ用部材８０の側面８１がモニター８５の右側面と接するように、吊り下げ用部材８０を配置する。このとき、粘着テープ、接着剤等を用いて、モニター８５に吊り下げ用部材８０を固定する。
【００５７】
このように、吊り下げ用部材８０を用いて収納ボックス３００をモニター８５の右側部に取り付けることで、机等のスペースを占領せずに収納ボックス３００を設置することができ、机等のスペースを有効に使うことができる。このように、設置場所に応じた取り付けが可能であり、机の上のような平らな場所に収納ボックス３００を設置するスペースがない場合であっても、収納ボックス３００を吊り下げ用部材８０で吊り下げて設置することができる。この場合、吊り下げ用部材８０の側面８１には、複数の連結穴８３が形成されているため、収納ボックス３００を設置する高さを調節することができる。なお、吊り下げ用部材８０を用いて収納ボックス３００をモニター８５の左側部に取り付けることも可能である。
【００５８】
また、図１３に示すように、上方に障害物９０があるため、上下のスペースが限られている場合には、収納ボックス４００を、横に倒した状態で机の上に設置することができ、場所に応じた設置が可能となる。
【図面の簡単な説明】
【００５９】
【図１】収納ユニット１０が、上下に２段、左右に２列、配置されている収納ボックス１を示す斜視図である。
【図２】同じく正面図である。
【図３】収納ユニット１０を示す図である。
【図４】据え置き用部材３０を示す図である。
【図５】連結具４０を示す正面図である。
【図６】ずれ防止用部材５０を示す正面図である。
【図７】縦仕切り板６０を示す側面図である。
【図８】横仕切り板７０を示す平面図である。
【図９】収納ユニット１０が、上下に３段、左右に２列、配置されている収納ボックス１００を示す図である。
【図１０】収納ユニット１０が、上下に１段、左右に４列、配置されている収納ボックス２００を示す図である。
【図１１】吊り下げ用部材８０を示す図である。
【図１２】吊り下げ用部材８０で吊り下げて設置した状態の収納ボックス３００を示す図である。
【図１３】横に倒して設置した状態の収納ボックス４００を示す図である。
【符号の説明】
【００６０】
１    収納ボックス
１０  収納ユニット
１１  空洞
１８  底面
３０  据え置き用部材
４０  連結具
５０  ずれ防止用部材
６０  縦仕切り板
７０  横仕切り板
８０  吊り下げ用部材
【図１】
2006056567.tif 000003
【図２】
2006056567.tif 000004
【図３】
2006056567.tif 000005
【図４】
2006056567.tif 000006
【図５】
2006056567.tif 000007
【図６】
2006056567.tif 000008
【図７】
2006056567.tif 000009
【図８】
2006056567.tif 000010
【図９】
2006056567.tif 000011
【図１０】
2006056567.tif 000012
【図１１】
2006056567.tif 000013
【図１２】
2006056567.tif 000014
【図１３】
2006056567.tif 000015